(57)【要約】【課題】ロフト角の変更若しくは調整を行うことができるゴルフクラブを提供すること。【解決手段】ロフト角調整機構１４を備えたゴルフクラブ１０であって、ロフト角調整機構１４は、シャフトＳの先端側に取り付けられてシャフト挿入部１２内に挿入されるスリーブ３０と、シャフト挿入部１２とスリーブ３０とを連結する連結用パーツ３１とを含み、連結用パーツは３１、シャフトＳとシャフト挿入部１２との相対角度を異ならせる選択可能な複数の駒状部材３３Ａ、３３Ｂを含み、これら駒状部材３３Ａ、３３Ｂを交換することで、ロフト角θが変更、設定されるようになっている。【選択図】図１
2015186551.tif 000002
【特許請求の範囲】
【請求項１】
シャフトと、当該シャフトの先端側を受容するシャフト挿入部とを備えたヘッドと、ヘッドのフェース面に略直交する垂直面内で、前記シャフトとヘッドとの相対角度を変位可能に設けるとともに、所定のロフト角でシャフトをシャフト挿入部に固定可能なロフト角調整機構とを含むゴルフクラブであって、
前記ロフト角調整機構は、前記シャフトの先端側に取り付けられてシャフト挿入部内に挿入されるスリーブと、シャフト挿入部とスリーブとを連結する連結用パーツとを含み、
前記連結用パーツは、前記シャフトとシャフト挿入部との相対角度を異ならせる選択可能な複数の連結用パーツからなり、これらパーツを交換することで、パーツごとにロフト角が設定されることを特徴とするゴルフクラブ。
【請求項２】
前記ヘッドのソール面側に、連結用パーツの受容部と、当該受容部から後方に連なる凹部が形成され、前記受容部に受容された連結用パーツの下面と、前記凹部を形成する後部側の縁部とが接地面に接地するように構成されていることを特徴とする請求項１記載のゴルフクラブ。
【請求項３】
前記連結用パーツは前記受容部に配置される駒状部材と、この駒状部材を貫通して前記スリーブにねじ係合するボルトとを含み、当該ボルトを締め付けたときに、前記スリーブをシャフト挿入部内に引き込むように構成されていることを特徴とする請求項２記載のゴルフクラブ
【請求項４】
前記複数の連結用パーツの外面にそれぞれロフト角が表示されていることを特徴とする請求項１、２又は３記載のゴルフクラブ。
【発明の詳細な説明】
【技術分野】
【０００１】
本発明はゴルフクラブに係り、更に詳しくは、ロフト角を調整することができるゴルフクラブに関する。
【背景技術】
【０００２】
ゴルフクラブヘッドのロフト角は、シャフトの中心線を含む垂直平面とフェース面のなす角度とされ、当該ロフト角はボールの打ち出し角や、バックスピン量を変化させる要素となる。具体的には、ロフト角が大きくなると打ち出し角が大きくなってボールが高く上がるとともにバックスピン量も大きくなる。この一方、ロフト角が小さくなれば、打ち出し角が小さくなって低い弾道となり、ボールのバックスピン量も少なくなる。従って、ロフト角は飛距離に影響を与える要素となる。
ゴルフクラブヘッドのロフト角調整に関しては、例えば、特許文献１、２に記載された構成が知られている。
【先行技術文献】
【特許文献】
【０００３】
【特許文献１】特開２００９−２９１６０２号公報
【特許文献２】特許第４５５４５３２号公報
【発明の開示】
【発明が解決しようとする課題】
【０００４】
特許文献１に記載されたゴルフクラブは、ロフト角を変更すると、アドレス時にフェース角が変わってしまうという不都合がある。具体的には、ロフト角を小さくするとフェース角が開き、ロフト角を大きくするとフェース角が閉じてしまうものとなっている。従って、フェース角が開いたときにスライスボールが出やすくなる一方で、フェース角が閉じたときはフックボールが出やすくなり、ロフト角のみを変更したいユーザーにとっては、ボール打ち出し方向が左右にばらついて安定性を妨げること要因となる。
また、上記ゴルフクラブは、ロフト角を変更するときに、シャフトが回転してしまい、グリップにバックラインが入れられない、という制約もある。
更に、特許文献２に記載されたものは、パターに限定されたものであり、パター以外のゴルフクラブに適用した場合の打撃時の強度を維持することができず、衝撃に耐えられない他、特許文献１と同様にフェース角も変わってしまう、という不都合がある。
【０００５】
本発明の目的は、ロフト角を調整の対象とし、当該ロフト角を変化させた場合であってもフェース向きに影響を与えることがなく、また、強度的にも信頼性を付与することのできるゴルフクラブを提供することにある。
【課題を解決するための手段】
【０００６】
前記目的を達成するため、本発明は、特許請求の範囲記載の構成を採用したものであり、具体的には、シャフトと、当該シャフトの先端側を受容するシャフト挿入部とを備えたヘッドと、ヘッドのフェース面に略直交する垂直面内で、前記シャフトとヘッドとの相対角度を変位可能に設けるとともに、所定のロフト角でシャフトをシャフト挿入部に固定可能なロフト角調整機構とを含むゴルフクラブであって、
前記ロフト角調整機構は、前記シャフトの先端側に取り付けられてシャフト挿入部内に挿入されるスリーブと、シャフト挿入部とスリーブとを連結する連結用パーツとを含み、
前記連結用パーツは、前記シャフトとシャフト挿入部との相対角度を異ならせる選択可能な複数の連結用パーツからなり、これらパーツを交換することで、パーツごとにロフト角が設定される、という構成を採っている。
【０００７】
本発明において、前記ヘッドのソール面側に、連結用パーツの受容部と、当該受容部から後方に連なる凹部が形成され、前記受容部に受容された連結用パーツの下面と、前記凹部を形成する後部側の縁部とが接地面に接地するように構成されている。
ここで、前記連結用パーツは前記受容部に配置される駒状部材と、この駒状部材を貫通して前記スリーブにねじ係合するボルトとを含み、当該ボルトを締め付けたときに、前記スリーブをシャフト挿入部内に引き込むように構成される、という構成が採用されている。
【０００８】
更に、前記複数の連結用パーツの外面にそれぞれロフト角が表示されている、という構成を採ることが好ましい。
【発明の効果】
【０００９】
本発明によれば、複数の連結用パーツの中から何れか１つのパーツを用いることでヘッドに対してシャフトを所定のロフト角で固定することができ、連結用パーツを変更するだけで当該パーツに対応する設定角度でロフト角を容易に変更することができる。
また、連結用パーツの下面と、これより後方に位置する凹部を形成する縁部とが接地可能となる構成であるため、ヘッドを前後方向２箇所で接地させることができ、アドレス時にヘッドが平面内で回転してしまうような不都合はなく、ロフト角を変更しても設計されたフェース角を維持することができる。
更に、連結用パーツを構成するボルトをスリーブに締め付けることで当該スリーブがシャフト挿入部内に引き込まれるため、シャフト取付強度も維持することができる。
【図面の簡単な説明】
【００１０】
【図１】本実施形態に係るゴルフクラブのシャフトを接地面に対して略垂直に向けた状態でヘッドをヒール側から見た概略部分断面図。
【図２】図１の分解断面図。
【図３】前記ヘッドをフェース面側から見た部分断面図。
【図４】ロフト角を変更した状態を示す図１と同様の概略部分断面図
【発明を実施するための形態】
【００１１】
以下、本発明が、ドライバーと称されるゴルフクラブヘッドに適用された実施形態について、図面を参照しながら説明する。
なお、本明細書において、特に明示しない限り、「先端」、「下」は、シャフトを基準として見たときに、ヘッド側について用いられ、「上」は、その反対側、すなわちグリップが取り付けられる側について用いられる。また、「前」はヘッドのフェースの表面側、「後」はその裏面側について用いられ、「前後方向」というときは、フェース面を通過する方向となる。
【００１２】
本実施形態におけるゴルフクラブ１０は、図１及び図２に示されるように、シャフトＳの先端側を受容するシャフト挿入部１２を備えたヘッドＨと、ヘッドＨのフェース面１７に略直交する垂直面内で、シャフトＳとヘッドＨとの相対角度を変位可能とするロフト角調整機構１４とを備えて構成されている。
【００１３】
前記ヘッドＨは、クラウン面１５、ソール面１６、フェース面１７、トウ側からバックを通ってヒール側までの外周部分を構成するサイド面１８を備えた中空に形成されている。シャフト挿入部１２は、図３に示されるように、クラウン面１５のヒール側からソール面１６に向かって形成されている。このシャフト挿入部１２は、下方に向かうに従って前後方向の内側寸法が次第に大きくなるように形成された周壁２０と、その下部に位置する底壁２１とにより構成され、当該底壁２１の面内には、前後方向すなわち図１中左右方向に長いスロット孔２３が形成されている。シャフト挿入部１２の上部内周側には、図示しないスリーブ回り止め部が形成されており、これにより、シャフトＳが周方向に回転できないように設けられ、図示しないグリップにバックラインを入れることができるようになっている。なお、底壁２１の下部側に、接地面Ｇに対して凹んだ空間を形成するように下部が開放する受容部２４が形成され、この受容部２４の図１中右側におけるソール面１６に、受容部２４から後方に連なる凹部２５が形成されている。
【００１４】
前記ロフト角調整機構１４は、シャフトＳの先端側に取り付けられてシャフト挿入部１２内に挿入されるスリーブ３０と、このスリーブ３０を介してシャフトＳを所定のロフト角に固定する連結用パーツ３１とからなる。連結用パーツ３１は、受容部２４内に配置されて当該受容部２４に丁度収まる外形を有するブロック状の第１、第２駒状部材３３Ａ、３３Ｂ（図４参照）と、各駒状部材３３Ａ、３３Ｂを貫通して前記底壁２１とスリーブ３０の先端側（図１中下端側）とを連結することで、スリーブ３０延いてはシャフトＳをシャフト挿入部１２内の底部側に引き付けるように固定するボルト３５とを含む。
【００１５】
前記スリーブ３０は、シャフトＳを受容して当該シャフトＳを接着剤等で固定可能な内径寸法に設けられている。スリーブ３０は、その上部がヘッドＨのネック部３６に連なるように設けられた大径部３０Ａと、この大径部３０Ａの下部に連なる有底の中間筒部３０Ｂと、当該中間筒部３０Ｂの下部に連なるとともに下端側に開口するねじ孔３０Ｄを有する小径筒部３０Ｃとからなる。スリーブ３０は、図１中前後方向に沿う垂直面内（図中紙面と平行な面内）において、大径部３０Ａの下部がネック部３６の内面側で角度変位可能に支持され、これにより、前記垂直面内でシャフトＳとヘッドＨとの相対角度が変位可能となっている。
【００１６】
前記連結用パーツ３１を構成する第１、第２駒状部材３３Ａ、３３Ｂは、図１及び図４に示されるように、受容部２４内に配置されたときに、スロット孔２３に連通する段付き孔３７をそれぞれ備えて構成されている。第１駒状部材３３Ａは、第２駒状部材３３Ｂよりも高さ（厚み）が高い形状を備えているとともに、段付き孔３７の形成位置が相対的に右側に位置するように設けられている。また、第１駒状部材３３Ａのフェース面１７側は面取りされて接地面Ｇに対する抵抗を受けないようになっている。本実施形態における第１駒状部材３３Ａは、それが用いられたときにロフト角θを１３度に設定できるものとされ、第２駒状部材３３Ｂは、ロフト角θを７度に設定できるものとされている。これらのロフト角θは、第１、第２駒状部材３３Ａ、３３Ｂの下面側に数字を刻印若しくは印刷することで、ユーザーにおいてロフト角を容易に把握することができる。なお、本実施形態におけるゴルフクラブ１０は、駒状部材３３Ａ、３３Ｂの下面と、前記凹部２５を形成する後部側の縁部２５Ａとが接地面Ｇに接地することで、前後２箇所の接地を実現し、ロフト角を調整しても、フェース角を一定に維持することができるようになっている。
【００１７】
以上の構成において、本実施形態におけるロフト角θは、図１又は図４に示されるように、第１、第２駒状部材３３Ａ、３３Ｂ及び更に増設可能な異なるロフト角を有する駒状部材から何れかを１つを選択し、これを受容部２４に位置させてボルト３５をスリーブ３０のねじ孔３０Ｄにねじ込めばよい。これにより、各駒状部材３３Ａ、３３Ｂごとに段付き孔３７の形成位置が前後方向に異なって設定されていることで、当該段付き孔３７の軸線にシャフトＳの軸線を一致させてロフト角が自動的に決定される。また、上記以外のロフト角を有する他の駒状部材を選択した場合には、その駒状部材に設定されている角度でロフト角を設定することができる。
なお、本実施形態におけるヘッドＨは、第１、第２駒状部材３３Ａ、３３Ｂの下面と、その後方に位置する凹部２５の後部形成縁２５Ａとが接地面Ｇに接する構成となっているので、ロフト角θを大きくする方向や、小さくする方向の何れの方向に変更しても、フェース角を変化させることはない。
【００１８】
従って、本実施形態によれば、ユーザーにおいて、連結用パーツ３１を構成する複数の駒状部材の中から所望のロフト角を有するものを採用するだけで、容易且つ迅速にロフト角の設定、変更を行うことができる。
また、駒状部材３３Ａ、３３Ｂはボルト３５によりスリーブ３０に一体連結されるので脱落することがないとともに、スリーブ３０をシャフト挿入部１２に強い力で引き込むことができるので、ヘッドＨとシャフトＳとの連結強度も高く維持することができる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２０】
例えば、前記実施形態では、本発明がドライバーに適用されるものとしたが、ロフト角が調整できる構成であれば、フェアウェイウッドやユーティリティにも適用できる他、アイアンゴルフクラブにも適用することを妨げない。
【符号の説明】
【００２１】
１０…ゴルフクラブ、１２…シャフト挿入部、１４…ロフト角調整機構、２４…受容部、２５…凹部、２５Ａ…縁部、３０…スリーブ、３１…連結用パーツ、３３Ａ、３３Ｂ…第１、第２駒状部材、Ｇ…接地面、Ｓ…シャフト、Ｈ…ヘッド、
【図１】
2015186551.tif 000003
【図２】
2015186551.tif 000004
【図３】
2015186551.tif 000005
【図４】
2015186551.tif 000006